【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
ラテックスポリマー；および
次式：Ｒ1−（Ｃ（Ｏ）−Ｘr−Ｏ）n−Ｒ2 
［式中：Ｒ1 は有機基であり；
Ｘは二価の有機基であり；
ｒは０〜１であり；
ｎは１〜１０であり；そして
Ｒ2 は水素または有機基であり；
ただし、Ｘが−（ＣＨ2）s−（式中ｓは２〜８）でない場合にＲ1 が少なくとも３個の炭素原子を含むことを条件とし；
ただし、ｒが０である場合に該コアレッセントが２つよりも少ない脂肪族不飽和炭素−炭素結合を有することを条件とする。］を有するコアレッセント
を含んで成るコーティング組成物であって；
該コアレッセントが０．５ｇのコアレッセントをアルミニウム秤量皿で秤量し、１１０℃において強制空気オーブン中に１時間置いて、その皿を再秤量して％ＶＯＣの質量損失を決定することにより測定して、５０％よりも少ない揮発性有機含有量（ＶＯＣ）を有し、そして該コーティング組成物中で分散可能である、コーティング組成物。
【請求項２】
４９℃に４週間置いたときに該コーティング組成物から該コアレッセントが相分離しない、請求項１に記載のコーティング組成物。
【請求項３】
ｒが０である場合に該コアレッセントが脂肪族不飽和炭素−炭素結合を含まない、請求項１に記載のコーティング組成物。
【請求項４】
該コアレッセントが脂肪族不飽和炭素−炭素結合を含まない、請求項１に記載のコーティング組成物。
【請求項５】
ｒが１である、請求項１に記載のコーティング組成物。
【請求項６】
該コアレッセントが２５℃よりも低い温度においてラテックスポリマーのポリマー皮膜の形成を促進する、請求項１に記載のコーティング組成物。
【請求項７】
該コアレッセントが４℃〜１０℃の温度においてラテックスポリマーのポリマー皮膜の形成を促進する、請求項１に記載のコーティング組成物。
【請求項８】
該コアレッセントが４℃〜５℃の温度においてラテックスポリマーのポリマー皮膜の形成を促進する、請求項１に記載のコーティング組成物。
【請求項９】
該コアレッセントが３０％よりも少ない揮発性有機含有量を有する、請求項１に記載のコーティング組成物。
【請求項１０】
該コアレッセントが２０％よりも少ない揮発性有機含有量を有する、請求項１に記載のコーティング組成物。
【請求項１１】
該コアレッセントが１５％よりも少ない揮発性有機含有量を有する、請求項１に記載のコーティング組成物。
【請求項１２】
該コアレッセントが７５０よりも大きくない数平均分子量を有する、請求項１に記載のコーティング組成物。
【請求項１３】
該コアレッセントが５００よりも小さい数平均分子量を有する、請求項１に記載のコーティング組成物。
【請求項１４】
塗料の形態にある、請求項１に記載のコーティング組成物。
【請求項１５】
ｎが１〜５である、請求項１に記載のコーティング組成物。
【請求項１６】
ｎが１〜３である、請求項１に記載のコーティング組成物。
【請求項１７】
ｎが２〜３である、請求項１に記載のコーティング組成物。
【請求項１８】
Ｒ1 が１００よりも少ない炭素原子を有する有機基である、請求項１に記載のコーティング組成物。
【請求項１９】
Ｒ1 が酸素原子、カルボニル基、ヒドロキシル基およびこれらの組合せの群より選択される置換基を有する有機基である、請求項１に記載のコーティング組成物。
【請求項２０】
Ｒ1 が３〜２４個の炭素原子、ならびに酸素原子、カルボニル基、ヒドロキシル基およびこれらの組合せの群より選択される置換基を有し；そしてＲ2 が水素である、請求項１に記載のコーティング組成物。
【請求項２１】
Ｒ1 が式Ｒ3−（ＣＨ2）m−（Ｏ（ＣＨ2）p）q−（式中Ｒ3 はアルキルもしくはアリール基であり、ｍは０〜２４であり、ｐは１〜４であり、そしてｑは０〜５０である）を有する、請求項１に記載のコーティング組成物。
【請求項２２】
ｐが１〜２である、請求項２１に記載のコーティング組成物。
【請求項２３】
ｍ＋ｐｑが２３よりも小さい、請求項２１に記載のコーティング組成物。
【請求項２４】
Ｒ2 が水素、または１００よりも少ない炭素原子を有する有機基である、請求項１に記載のコーティング組成物。
【請求項２５】
Ｘが２〜８個の炭素原子を有する二価の有機基である、請求項１に記載のコーティング組成物。
【請求項２６】
Ｘが３〜５個の炭素原子を有する二価の有機基である、請求項１に記載のコーティング組成物。
【請求項２７】
Ｘが酸素原子、カルボニル基およびこれらの組合せの群より選択される置換基を有する有機基である、請求項１に記載のコーティング組成物。
【請求項２８】
Ｘが式−（ＣＨ2）s−（式中ｓは２〜８である）を有する、請求項１に記載のコーティング組成物。
【請求項２９】
ラテックスポリマー；および
次式：Ｒ1−（Ｃ（Ｏ）−Ｘr−Ｏ）n−Ｒ2 
［式中：Ｒ1 は有機基であり；
Ｘは二価の有機基であり；
ｒは０〜１であり；
ｎは１〜１０であり；そして
Ｒ2 は水素または有機基であり；
ただし、Ｘが−（ＣＨ2）s−（式中ｓは２〜８）でない場合にＲ1 が少なくとも３個の炭素原子を含むことを条件とし；
ただし、該コアレッセントが脂肪族不飽和炭素−炭素結合を含まないことを条件とし；
ただし、Ｒ2 が水素である場合にｒが１であることを条件とする。］を有するコアレッセント
を含んで成るコーティング組成物であって；
該コアレッセントが０．５ｇのコアレッセントをアルミニウム秤量皿で秤量し、１１０℃において強制空気オーブン中に１時間置いて、その皿を再秤量して％ＶＯＣの質量損失を決定することにより測定して、５０％よりも少ない揮発性有機含有量（ＶＯＣ）を有し、該コーティング組成物中で分散可能であり、そして２５℃よりも低い温度においてラテックスポリマーのポリマー皮膜の形成を促進する、コーティング組成物。
【請求項３０】
該コアレッセントが４℃〜１０℃の温度においてラテックスポリマーのポリマー皮膜の形成を促進する、請求項２９に記載のコーティング組成物。
【請求項３１】
該コアレッセントが４℃〜５℃の温度においてラテックスポリマーのポリマー皮膜の形成を促進する、請求項２９に記載のコーティング組成物。
【請求項３２】
ラテックスポリマー；および
次式：Ｒ1−（Ｃ（Ｏ）−Ｘr−Ｏ）n−Ｒ2 
［式中：Ｒ1 は式Ｒ3−（ＣＨ2）m−（Ｏ（ＣＨ2）p）q− （式中Ｒ3 はアルキルもしくはアリール基であり、ｍは０〜２４であり、ｐは１〜４であり、そしてｑは０〜５０である。）を有し；
Ｘは式−（ＣＨ2）s−（式中ｓは２〜８である）を有し；
ｒは０〜１であり；
ｎは１〜１０であり；そして
Ｒ2 は水素またはＲ1 である。］を有するコアレッセント
を含んで成るコーティング組成物であって；
該コアレッセントが０．５ｇのコアレッセントをアルミニウム秤量皿で秤量し、１１０℃において強制空気オーブン中に１時間置いて、その皿を再秤量して％ＶＯＣの質量損失を決定することにより測定して、５０％よりも少ない揮発性有機含有量（ＶＯＣ）を有し、該コーティング組成物中で分散可能であり、そして２５℃よりも低い温度においてラテックスポリマーのポリマー皮膜の形成を促進する、コーティング組成物。
【請求項３３】
ラテックスポリマー；および
次式：Ｒ1−（Ｃ（Ｏ）−Ｘ−Ｏ）n−Ｈ 
［式中：Ｒ1 はヒドロカルビル部分であるか又は非過酸化物型酸素原子、ヒドロキシル基およびこれらの組合せの群より選択される置換基を含有する有機基であり；
Ｘは二価のヒドロカルビル部分であるか又は非過酸化物型酸素原子およびカルボニル基を含有する有機基であり；そして
ｎは１〜１０である。］を有するコアレッセント
を含んで成るコーティング組成物であって；
該コアレッセントが０．５ｇのコアレッセントをアルミニウム秤量皿で秤量し、１１０℃において強制空気オーブン中に１時間置いて、その皿を再秤量して％ＶＯＣの質量損失を決定することにより測定して、５０％よりも少ない揮発性有機含有量（ＶＯＣ）を有し、そして該コーティング組成物中で分散可能である、コーティング組成物。
【請求項３４】
該コアレッセントが３０％よりも少ない揮発性有機含有量を有する、請求項３３に記載のコーティング組成物。
【請求項３５】
ラテックスポリマー；および
次式：Ｒ1−（Ｃ（Ｏ）−Ｘ−Ｏ）n−Ｈ 
［式中：Ｒ1 はヒドロカルビル部分であるか又は非過酸化物型酸素原子、ヒドロキシル基およびこれらの組合せの群より選択される置換基を含有する有機基であり；
Ｘは式−（ＣＨ2）s−（式中ｓは２〜８である）を有し；そして
ｎは１〜１０である。］を有するコアレッセント
を含んで成るコーティング組成物であって；
該コアレッセントが０．５ｇのコアレッセントをアルミニウム秤量皿で秤量し、１１０℃において強制空気オーブン中に１時間置いて、その皿を再秤量して％ＶＯＣの質量損失を決定することにより測定して、５０％よりも少ない揮発性有機含有量（ＶＯＣ）を有し、そして該コーティング組成物中で分散可能である、コーティング組成物。
【請求項３６】
ｓが３〜５である、請求項３５に記載のコーティング組成物。
【請求項３７】
該コアレッセントが３０％よりも少ない揮発性有機含有量を有する、請求項３５に記載のコーティング組成物。
【請求項３８】
ラテックスポリマー；および
次式：Ｒ1−（Ｃ（Ｏ）−Ｘ−Ｏ）n−Ｈ 
［式中：Ｒ1 はヒドロカルビル部分であるか又は非過酸化物型酸素を含有する有機基であり；
Ｘは非過酸化物型酸素およびカルボニル基を含有する有機基であり；そして
ｎは１〜１０である。］を有するコアレッセント
を含んで成るコーティング組成物であって；
該コアレッセントが０．５ｇのコアレッセントをアルミニウム秤量皿で秤量し、１１０℃において強制空気オーブン中に１時間置いて、その皿を再秤量して％ＶＯＣの質量損失を決定することにより測定して、５０％よりも少ない揮発性有機含有量（ＶＯＣ）を有し、そして該コーティング組成物中で分散可能である、コーティング組成物。
【請求項３９】
該コアレッセントが３０％よりも少ない揮発性有機含有量を有する、請求項３８に記載のコーティング組成物。
【請求項４０】
基体上にコートされて乾燥された、請求項１に記載のコーティング組成物。
【請求項４１】
基体上にコートされて乾燥された、請求項２９に記載のコーティング組成物。
【請求項４２】
基体上にコートされて乾燥された、請求項３２に記載のコーティング組成物。
【請求項４３】
基体上にコートされて乾燥された、請求項３３に記載のコーティング組成物。
【請求項４４】
基体上にコートされて乾燥された、請求項３５に記載のコーティング組成物。
【請求項４５】
基体上にコートされて乾燥された、請求項３８に記載のコーティング組成物。